(57)【特許請求の範囲】
【請求項１】
電子ペーパを有する付爪と、前記電子ペーパに対して出力データを出力する付爪用出力装置と、前記付爪用出力装置と通信可能な端末と、を備えた付爪用システムであって、
前記付爪用出力装置は、
出力データを記憶する第１記憶部と、
前記出力データを前記電子ペーパに出力する第１制御部とを有し、
前記端末は、前記出力データの出力回数の増加に応じて減少する使用可能回数を、マニキュアの容器内に入っているマニキュア液の残量を示す画像として表示する表示部を有し、
前記第１制御部は、前記電子ペーパへの前記出力データの出力回数が所定の閾値を超えた場合に、前記電子ペーパに出力データを出力しないことを特徴とする付爪用システム。
【請求項２】
前記端末は、前記画像を色ごとに並べて前記表示部に複数表示することを特徴とする請求項１に記載の付爪用システム。
【請求項３】
前記第１制御部は、前記出力回数を前記第１記憶部に記憶させ、
前記端末は、前記出力回数を記憶する第２記憶部と、第２制御部とを有し、
前記第２制御部は、前記付爪用出力装置との通信時において、前記第２記憶部で記憶している出力回数を、前記第１記憶部で記憶している出力回数に同期させることを特徴とする請求項１または請求項２に記載の付爪用システム。
【請求項４】
前記端末と通信可能なサーバをさらに備え、
前記第２制御部は、前記サーバから受信した出力データの使用許可情報に基づいて前記第２記憶部で記憶している閾値を増加させ、
前記第１制御部は、前記第２制御部から受信した前記使用許可情報に基づいて、前記第１記憶部で記憶している閾値を増加させることを特徴とする請求項３に記載の付爪用システム。
【請求項５】
電子ペーパを有する付爪の前記電子ペーパに対して出力データを出力する付爪用出力装置であって、前記電子ペーパへの出力データの出力回数が所定の閾値を超えた場合に、前記電子ペーパに出力データを出力しない付爪用出力装置と通信可能な端末であって、
前記出力データの出力回数の増加に応じて減少する使用可能回数を、マニキュアの容器内に入っているマニキュア液の残量を示す画像として表示する表示部を有することを特徴とする端末。
【発明の詳細な説明】
【技術分野】
【０００１】
本発明は、電子ペーパを有する付爪と、電子ペーパに対して出力データを出力する付爪用出力装置とを備えた付爪用システムに関する。
【背景技術】
【０００２】
従来、付爪用システムとして、電子ペーパを有する付爪と、断面視略コ字状の筐体と、筐体内に設けられ、付爪の電子ペーパに対して出力データを非接触で出力するための無線通信部や制御部などを備えたものが知られている（特許文献１参照）。この付爪用システムでは、筐体の凹部に、電子ペーパを貼り付けた爪を通過させる若しくは爪を配置することで、電子ペーパに画像を表示させている。
【先行技術文献】
【特許文献】
【０００３】
【特許文献１】特開２０１２−２００３５号公報
【発明の概要】
【発明が解決しようとする課題】
【０００４】
ところで、付爪用システムでは、電子ペーパに表示する色や模様などの出力データをユーザに対してマニキュアの代わりとして販売することが考えられるが、出力データは、使用に応じて残量が減っていくマニキュアとは異なるため、ユーザによって無制限に使用されてしまうといった問題があった。
【０００５】
そこで、本発明は、電子ペーパ付きの付爪に送信する出力データがユーザによって無制限に使用されるのを禁止することを目的とする。
【課題を解決するための手段】
【０００６】
前記課題を解決するため、本発明に係る付爪用システムは、電子ペーパを有する付爪と、前記電子ペーパに対して出力データを出力する付爪用出力装置とを備える。
前記付爪用出力装置は、出力データを記憶する第１記憶部と、前記出力データを前記電子ペーパに出力する第１制御部とを有する。
前記第１制御部は、前記電子ペーパへの前記出力データの出力回数が所定の閾値を超えた場合に、出力データの出力を禁止する。
【０００７】
この構成によれば、出力データの出力回数が所定の閾値を超えると、出力データの出力が禁止されるので、出力データがユーザによって無制限に使用されるのを禁止することができる。
【０００８】
また、前記した構成において、前記付爪用出力装置と通信可能な端末をさらに備え、前記端末は、前記出力データの出力回数の増加に応じて減少する使用可能回数を表示する表示部を有していてもよい。
【０００９】
これによれば、出力データの残りの使用回数である使用可能回数が端末の表示部に表示されるので、残りの使用回数をユーザに知らせることができる。また、付爪用出力装置に表示部を設ける必要がないので、付爪用出力装置にかかるコストを抑えることができる。
【００１０】
また、前記した構成において、前記第１制御部は、前記出力回数を前記第１記憶部に記憶させ、前記端末は、前記出力回数を記憶する第２記憶部と、第２制御部とを有し、前記第２制御部は、前記付爪用出力装置との通信時において、前記第２記憶部で記憶している出力回数を、前記第１記憶部で記憶している出力回数に同期させるように構成されていてもよい。
【００１１】
これによれば、端末との非通信時に付爪用出力装置を使用した場合でも、通信時に第２記憶部の出力回数と第１記憶部の出力回数とが同期するので、実際の出力回数に応じた使用可能回数を表示部に表示させることができる。
【００１２】
また、前記した構成において、前記端末と通信可能なサーバをさらに備え、前記第２制御部は、前記サーバから受信した出力データの使用許可情報に基づいて前記第２記憶部で記憶している閾値を増加させ、前記第１制御部は、前記第２制御部から受信した前記使用許可情報に基づいて、前記第１記憶部で記憶している閾値を増加させるように構成されていてもよい。
【００１３】
また、前記した構成において、前記第１制御部は、前記出力データを使用できる回数を示す使用可能回数を、前記出力データの出力回数に基づいて算出し、前記出力回数が前記所定の閾値を超えたか否かの判定を、前記使用可能回数が所定値以下になったか否かを判定することで行うように構成されていてもよい。
【発明の効果】
【００１４】
本発明によれば、電子ペーパ付きの付爪に送信する出力データがユーザによって無制限に使用されるのを禁止することができる。
【図面の簡単な説明】
【００１５】
【図１】本発明の一実施形態に係る付爪用システムを示す図である。
【図２】付爪用出力装置を示す斜視図である。
【図３】進退部材が筒状部材から突出した状態を示す斜視図である。
【図４】進退部材を先端側から見た平面図（ａ）と、図４（ａ）のＩ−Ｉ断面図（ｂ）である。
【図５】筒状部材と進退部材を分解して示す側面図である。
【図６】進退部材が退避位置に位置するときの付爪用出力装置を示す断面図である。
【図７】進退部材が突出位置に位置するときの付爪用出力装置を示す断面図である。
【図８】筐体内に設けられた第３切替用端子を示す断面図である。
【図９】付爪用システムの構成を示すブロック図である。
【図１０】第２制御部の動作を示すフローチャートである。
【図１１】第１制御部の動作を示すフローチャートである。
【図１２】第１記憶部および第２記憶部に記憶された各データの一例を示す図（ａ），（ｂ）である。
【図１３】図１２（ａ），（ｂ）の状態からカラーナンバ「００１」の最大使用回数Ｎｍａｘを更新した状態を示す図（ａ），（ｂ）である。
【発明を実施するための形態】
【００１６】
次に、本発明の実施形態について、適宜図面を参照しながら詳細に説明する。
図１に示すように、付爪用システムＳは、電子ペーパＥＰを有する付爪ＦＮと、付爪ＦＮの電子ペーパＥＰに対して、出力データの一例としての色データを出力する付爪用出力装置Ｍと、付爪用出力装置Ｍと通信可能な端末の一例としてのスマートフォンＳＰと、スマートフォンＳＰと通信可能なサーバＳＶとを備えている。なお、本実施形態では、色データを、単色の色データとする。
【００１７】
ここで、電子ペーパとしては、例えばエレクトロクロミズムを利用したものを使用することができる。なお、電子ペーパは、エレクトロクロミズムを利用したものに限らず、コレステリック液晶、強誘電性液晶、エレクトロウエッティング、エレクトロデポジションなどを利用したものであってもよい。
【００１８】
図２に示すように、付爪用出力装置Ｍは、筒状部材１と、筒状部材１内に配置される進退部材２と、筐体３と、蓋４とを備えている。筐体３および蓋４は、それぞれ矩形の有底筒状に形成されており、蓋４は、筒状部材１を覆った状態で筐体３の上部に嵌合して取り付けられるようになっている。
【００１９】
筐体３は、筒状部材１の下端部側に配置されており、その内周面は円筒状になっている。筒状部材１は、筐体３の円筒状の内周面で回転可能に支持されている。そして、筒状部材１および筐体３の一方を他方に対して回転させると、図３に示すように、進退部材２が上方に移動して筒状部材１の上端から突出するようになっている。つまり、進退部材２は、図３に示す突出位置と、図２に示す退避位置とに進退可能となっている。
【００２０】
進退部材２は、樹脂などからなる部材であり、筒状部材１の上端から上方に突出して外部に露出可能な円柱状の露出部２１を有している。露出部２１の先端部２１ａは、上方に向かうにつれて先細となる楔形状となっている。詳しくは、露出部２１は、円柱を斜めに切ったような形状となっている。そして、露出部２１の表面には、色データに対応する色を表示する出力装置側電子ペーパＰ１が貼り付けられている。
【００２１】
詳しくは、出力装置側電子ペーパＰ１は、露出部２１の外周面と先端面とに貼り付けられている。図４（ａ），（ｂ）に示すように、露出部２１の先端面には、一対の出力端子２２ａを有する透明部２２が設けられている。透明部２２は、所定の透過性を有する樹脂などからなり、その上面が三次元曲面となっている。ここで、所定の透過性とは、露出部２１の先端面にある出力装置側電子ペーパＰ１を外部から視認可能な程度の透過性をいう。
【００２２】
出力端子２２ａは、露出部２１の楔形状の先端部２１ａの先端から基端にわたって設けられ、その上面が透明部２２の表面に沿って外部に露出している。出力端子２２ａは、配線を介して後述する制御装置５（図７参照）に接続されている。そして、出力端子２２ａは、図３に示す突出位置において筒状部材１の上端から外側に突出し、図２に示す退避位置において筒状部材１内に配置される。
【００２３】
図５に示すように、進退部材２は、前述した露出部２１の他に、露出部２１の下に配置される円柱状部２３と、円柱状部２３の下に配置されるフランジ部２４とを有している。円柱状部２３は、露出部２１の直径（詳しくは、出力装置側電子ペーパＰ１を含んだ直径）よりも大径となる円柱状の部位であり、その外周面の上端部に雄ネジ部２３ａが形成されている。円柱状部２３内には、後述する制御装置５（図７参照）が設けられている。
【００２４】
フランジ部２４は、円柱状部２３よりも大径となる略円板状の部位であり、その上面には、波型の第１係合突起２４ａが円柱状部２３を囲うように環状に形成されている。また、フランジ部２４の外周面には、径方向外側に突出する一対のガイド片２４ｂ（１つのみ図示）が設けられている。各ガイド片２４ｂは、進退部材２の回転中心を挟んで設けられている。
【００２５】
筒状部材１は、円筒状の円筒部材１１と、円筒部材１１に対して回転可能な環状のリング部材１２とを備えている。リング部材１２の下部には、進退部材２の波型の第１係合突起２４ａに係合する波型の第２係合突起１２ａが形成されている。これにより、進退部材２が突出位置まで移動したときに、第１係合突起２４ａと第２係合突起１２ａとが係合することで、進退部材２とリング部材１２が一体に回転するようになっている。
【００２６】
円筒部材１１は、円筒状の基部１１ａと、基部１１ａの外周面から径方向外側に突出するリング状のフランジ部１１ｂとを有している。
【００２７】
図６に示すように、基部１１ａの内周面には、前述した進退部材２の雄ネジ部２３ａが捩じ込まれる雌ネジ部１１ｄが形成されている。これにより、基部１１ａが進退部材２に対して相対的に回転すると、進退部材２が上下に進退するようになっている。なお、図６においては、便宜上、後述する制御装置５の図示を省略している。
【００２８】
雌ネジ部１１ｄは、基部１１ａの上端から下方に離れた位置から下端付近まで形成されている。基部１１ａの上端から雌ネジ部１１ｄの上端までの距離は、進退部材２の雄ネジ部２３ａの上端から下端までの距離以上の大きさに設定されている。これにより、雄ネジ部２３ａが雌ネジ部１１ｄの上に外れた際に、雄ネジ部２３ａが円筒部材１１の上端から突出しないので（図７参照）、外観を向上させることが可能となっている。
【００２９】
なお、雄ネジ部２３ａが雌ネジ部１１ｄから外れた状態においては、ユーザが、筒状部材１に対して筐体３を一方向（進退部材２が上昇する方向）に回転させても、進退部材２は、上方に移動せずに、その場で回転するようになっている。また、雄ネジ部２３ａが雌ネジ部１１ｄから外れた状態において、ユーザが、筒状部材１に対して筐体３を他方向に回転させた場合には、雄ネジ部２３ａと雌ネジ部１１ｄが再度噛み合って、進退部材２が下降する。
【００３０】
フランジ部１１ｂは、筐体３の上部の内周面に設けられた環状の支持溝３１に係合し、当該支持溝３１によって回転可能に支持されている。基部１１ａの下端部は、他の部位よりも外径が小さくなっており、その外周面には、径方向外側に突出する複数の突起１１ｃが設けられている。複数の突起１１ｃは、回転方向に等間隔に配置されている。なお、突起１１ｃの数は、１つであってもよい。
【００３１】
リング部材１２は、基部１１ａの下端部、つまり小径部分に回転可能に取り付けられており、その内周面には、基部１１ａの複数の突起１１ｃのそれぞれと係合可能な複数の係合穴１２ｃが形成されている。複数の係合穴１２ｃは、回転方向において等間隔に配置されており、リング部材１２を所定角度回転させることで、所定の係合穴１２ｃが、所定の突起１１ｃから外れ、所定の突起１１ｃの回転方向下流側にある次の突起１１ｃに係合するようになっている。これにより、円筒部材１１をリング部材１２に対して相対的に回転させると、係合穴１２ｃと突起１１ｃとの解除・係合によるクリック感をユーザに感じさせることが可能となっている。
【００３２】
筐体３のうち円筒部材１１よりも下側の内周面は、進退部材２のフランジ部２４の外周面を上下方向（円筒部材１１の軸線方向）に移動可能に支持するガイド面となっている。筐体３の下側の内周面には、進退部材２のフランジ部２４に形成された各ガイド片２４ｂを上下方向に移動可能に支持するとともに、各ガイド片２４ｂの回転方向への移動を規制する一対のガイド溝３２（１つのみ図示）が形成されている。また、筐体３には、制御装置５（図７参照）に電力を供給するバッテリ６が設けられている。
【００３３】
なお、バッテリ６の充電方式は、どのような方式であってもよく、例えば、バッテリ６側の端子と充電器側の端子とが接触する方式であってもよいし、バッテリ６に対して充電器が非接触で充電を行うものであってもよい。
【００３４】
次に、図７を参照して、出力装置側電子ペーパＰ１、制御装置５およびバッテリ６の配線構造について説明する。
付爪用出力装置Ｍは、その内部に、電源スイッチ７と、切替スイッチ８とを備えている。電源スイッチ７は、進退部材２の進退動作に基づいて制御装置５をＯＮ・ＯＦＦするスイッチ、言い換えると筐体３の筒状部材１に対する相対的な回転動作に基づいて制御装置５をＯＮ・ＯＦＦするスイッチである。電源スイッチ７は、進退部材２のフランジ部２４の外周面に設けられる第１端子７１と、筐体３の内周面に設けられる第２端子７２とを備えている。なお、第１端子７１と第２端子７２は、プラスとマイナスとでそれぞれ２つずつ必要であるが、図７では便宜上、プラスとマイナスのいずれか一方の第１端子７１および第２端子７２を図示している。つまり、例えば図示されている第１端子７１および第２端子７２をプラス側の端子とすると、マイナス側の第１端子および第２端子は、図の奥に配置されていることとし、図示を省略する。
【００３５】
第１端子７１は、配線を介して制御装置５に接続され、第２端子７２は、配線を介してバッテリ６に接続されている。第１端子７１と第２端子７２は、進退部材２が突出位置に位置するときに接触し、進退部材２が退避位置に位置するときに上下方向に間隔を空けて配置されている（図６参照）。
【００３６】
切替スイッチ８は、筐体３の筒状部材１に対する相対的な回転動作に基づいて制御装置５から出力端子２２ａに出力する色データを切り替えるためのスイッチであり、第１切替用端子８１と、第２切替用端子８２と、第３切替用端子８３とを備えている。第１切替用端子８１は、円筒部材１１の外周面に設けられ、円筒部材１１内に配置された配線と、円筒部材１１の下端部の外周面に設けられた第１接続端子１０１と、進退部材２の第１係合突起２４ａの下部の内周面に設けられたリング状の第２接続端子１０２と、進退部材２内に配置された配線を介して制御装置５に接続されている。第２切替用端子８２は、円筒部材１１の外周面に設けられ、円筒部材１１内に設けられた配線と、円筒部材１１の下面に設けられた第３接続端子１０３と、進退部材２のフランジ部２４の上面に設けられたリング状の第４接続端子１０４と、進退部材２内に配置された配線を介して制御装置５に接続されている。
【００３７】
図８に示すように、第３切替用端子８３は、筐体３の内周面において回転方向に間隔を空けて並ぶように設けられる複数の接点部８３ａと、複数の接点部８３ａの下に配置され、各接点部８３ａを繋ぐ環状のベース部８３ｂとを有している。複数の接点部８３ａは、図７に示すリング部材１２の複数の係合穴１２ｃと同じ数で、かつ、同位相で設けられている。そして、係合穴１２ｃが突起１１ｃに係合したときに、２つの接点部８３ａが、第１切替用端子８１と第２切替用端子８２に接続するようになっている。
【００３８】
以上のように構成される切替スイッチ８は、リング部材１２の係合穴１２ｃが突起１１ｃに係合するたびにＯＮとなり、係合穴１２ｃが突起１１ｃから外れるたびにＯＦＦとなる。
【００３９】
制御装置５は、図９に示すように、無線通信部５１と、第１制御部５２と、第１記憶部５３と、図示せぬ入出力回路とを主に備えている。第１制御部５２は、例えば、ＣＰＵ(Central Processing Unit）などで構成され、第１記憶部５３は、ＲＡＭ(Random Access Memory)、ＲＯＭ(Read Only Memory)、ＥＥＰＲＯＭ（Electrically Erasable Programmable Read-Only Memory）などで構成されている。
【００４０】
無線通信部５１は、スマートフォンＳＰと近距離無線通信を行うための機能を有している。ここで、付爪用出力装置ＭとスマートフォンＳＰの通信は、近距離無線通信であるため、付爪用出力装置ＭとスマートフォンＳＰとの距離が所定距離以内である場合に、両者の通信が可能となり、所定距離を超えた場合には、両者の通信が不可能となっている。
【００４１】
第１制御部５２は、スマートフォンＳＰとの通信が可能な状態のときに、スマートフォンＳＰと情報交換を行っている。詳しくは、第１制御部５２は、スマートフォンＳＰから色データと、当該色データに対応したカラーナンバおよび最大使用回数Ｎｍａｘとを無線通信部５１を介して受信しており、これらのデータを第１記憶部５３に記憶している。ここで、最大使用回数Ｎｍａｘは、色データを出力できる最大の回数を示すデータであり、本実施形態では、１００回とする。
【００４２】
また、第１制御部５２は、スマートフォンＳＰから色データ、カラーナンバおよび最大使用回数Ｎｍａｘを受信した際に、その色データに対応するカラーナンバおよび最大使用回数Ｎｍａｘが既に第１記憶部５３に記憶されている場合には、その色データに対応した最大使用回数Ｎｍａｘを増やすように構成されている。つまり、第１記憶部５３に記憶された最大使用回数Ｎｍａｘの増加は、使用許可情報である新たな最大使用回数Ｎｍａｘの受信が条件となっている。詳しくは、第１制御部５２は、例えば第１記憶部５３に記憶された最大使用回数Ｎｍａｘが１００であり、かつ、スマートフォンＳＰから受信した最大使用回数Ｎｍａｘが後述のように更新された値、例えば２００である場合には、受信した新たな最大使用回数Ｎｍａｘ（２００）を、第１記憶部５３に記憶された最大使用回数Ｎｍａｘ（１００）に上書きして第１記憶部５３に記憶させる。
【００４３】
また、第１制御部５２は、電源スイッチ７がＯＮされると、色データを出力装置側電子ペーパＰ１に出力して表示する機能を有している。第１制御部５２は、切替スイッチ８がＯＦＦからＯＮに切り替わった場合に、出力装置側電子ペーパＰ１に出力する色データを切り替える機能を有している。第１制御部５２は、図１に示すように、出力端子２２ａが、付爪ＦＮの先端の裏側に設けられた電子ペーパＥＰの入力端子に接続された場合に、出力装置側電子ペーパＰ１に出力している色データを、出力端子２２ａを介して付爪ＦＮの電子ペーパＥＰに出力する機能を有している。
【００４４】
第１制御部５２は、色データを付爪ＦＮに出力するたびに当該色データの出力回数Ｎをカウントし、その出力回数Ｎを第１記憶部５３に記憶する機能を有している。第１制御部５２は、色データの出力回数Ｎが最大使用回数Ｎｍａｘを超えたか否かを判断し、超えた場合に色データの出力を禁止するように構成されている。つまり、最大使用回数Ｎｍａｘは、出力の禁止を判断するための所定の閾値となっている。
【００４５】
第１制御部５２は、スマートフォンＳＰとの通信が可能な状態のときに、第１記憶部５３に記憶している出力回数ＮをスマートフォンＳＰに出力する機能を有している。
【００４６】
スマートフォンＳＰは、無線通信部ＳＰ１と、第２制御部ＳＰ２と、表示部ＳＰ３と、第２記憶部ＳＰ４と、図示せぬ入出力回路とを主に備えている。第２制御部ＳＰ２および第２記憶部ＳＰ４の構成は、第１制御部５２および第１記憶部５３と略同様となっている。
【００４７】
無線通信部ＳＰ１は、付爪用出力装置Ｍと近距離無線通信を行うための機能と、サーバＳＶとインターネットなどを介して遠距離無線通信を行うための機能とを有している。第２制御部ＳＰ２は、無線通信部ＳＰ１を介して付爪用出力装置ＭおよびサーバＳＶとの情報交換を行っている。
【００４８】
詳しくは、第２制御部ＳＰ２は、無線通信部ＳＰ１を介して、サーバＳＶから色データをダウンロードし、ダウンロードした色データを第２記憶部ＳＰ４に記憶させる機能を有している。ここで、サーバＳＶには、複数種類の色データが記憶されており、ユーザは、サーバＳＶから色データを購入（ダウンロード）することが可能となっている。また、色データのダウンロード時には、色データに対応したカラーナンバの情報と、色データの使用許可情報の一例としての最大使用回数Ｎｍａｘの情報とが一緒にダウンロードされるようになっている。
【００４９】
つまり、第２制御部ＳＰ２は、サーバＳＶから色データ、カラーナンバおよび最大使用回数Ｎｍａｘを受信し、受信した色データ、カラーナンバおよび最大使用回数Ｎｍａｘを第２記憶部ＳＰ４に記憶させる。第２制御部ＳＰ２は、サーバＳＶから色データ等を受信した際に、その色データ等が既に第２記憶部ＳＰ４に記憶されている場合には、その色データに対応した最大使用回数Ｎｍａｘを増やすように構成されている。詳しくは、第２制御部ＳＰ２は、例えば第２記憶部ＳＰ４に記憶された最大使用回数Ｎｍａｘが１００である場合には、受信した新たな最大使用回数Ｎｍａｘ（１００）を、記憶済みの最大使用回数Ｎｍａｘ（１００）に加えることで、最大使用回数Ｎｍａｘを２００に更新する。
【００５０】
また、第２制御部ＳＰ２は、付爪用出力装置Ｍとの通信が可能な状態のときに、第２記憶部ＳＰ４に記憶した色データ、カラーナンバおよび最大使用回数Ｎｍａｘを無線通信部ＳＰ１を介して第１制御部５２に出力する機能を有している。第２制御部ＳＰ２は、付爪用出力装置Ｍとの通信が可能な状態のときに、付爪用出力装置Ｍから出力されてくる出力回数Ｎを受信し、受信した出力回数Ｎを第２記憶部ＳＰ４に記憶させる機能を有している。第２制御部ＳＰ２は、付爪用出力装置Ｍから所定の色データの出力回数Ｎを受信した際に、所定の色データに対応した出力回数Ｎが既に第２記憶部ＳＰ４に記憶されている場合には、第２記憶部ＳＰ４で記憶している出力回数Ｎを、受信した新たな出力回数Ｎに更新（上書き）するように構成されている。つまり、第２制御部ＳＰ２は、付爪用出力装置Ｍとの通信時に、第２記憶部ＳＰ４で記憶している出力回数Ｎを、第１記憶部５３で記憶している出力回数Ｎに同期させている。
【００５１】
また、第２制御部ＳＰ２は、第２記憶部ＳＰ４に記憶した所定の色データに対応する最大使用回数Ｎｍａｘおよび出力回数Ｎに基づいて、色データの残りの使用回数を示す使用可能回数Ｎｐを算出する機能を有している。使用可能回数Ｎｐは、色データの出力回数Ｎの増加に応じて減少する値であり、以下に示す式（１）よって算出される。
Ｎｐ  ＝  Ｎｍａｘ  −  Ｎ  ・・・  （１）
【００５２】
また、第２制御部ＳＰ２は、算出した使用可能回数Ｎｐを、第２記憶部ＳＰ４に記憶させるとともに、表示部ＳＰ３に出力して使用可能回数Ｎｐを表示部ＳＰ３で表示させる機能を有している。ここで、表示部ＳＰ３は、図１に示すように、スマートフォンＳＰの画面を構成しており、使用可能回数Ｎｐは、画面上において、マニキュアの容器内に入っているマニキュア液の残量を示す画像として表示されるとともに、残量を示す数字で表示されている。詳しくは、マニキュア液の残量を示す画像は、使用可能回数Ｎｐが１００以上である場合に、マニキュアの容器が満杯になるような表示となり、以後、使用可能回数Ｎｐが減るたびに、徐々にマニキュア液の液面が下がっていくように表示される。また、マニキュア液の残量を示す数字は、使用可能回数Ｎｐの最小単位である「１（回）」に対して、１％が割り当てられている。つまり、使用可能回数Ｎｐが１００である場合には、残量を示す数字は、１００％で表示され、以後、使用可能回数Ｎｐが９９，９８，９７，・・・と減るたびに、数字は、９９％、９８％、９７％、・・・と同様に減っていく。
【００５３】
なお、使用可能回数Ｎｐが１００よりも大きい場合、例えば１３０である場合には、数字は、使用可能回数Ｎｐに対応した数字、つまり１３０％で表示される。また、数字が１００％以上で表示されても、画像であるマニキュア液の液量は、１００％のときと同じ液量（容器に満杯な状態）で表示される。
【００５４】
次に、第１制御部５２および第２制御部ＳＰ２の動作について詳細に説明する。最初に、第２制御部ＳＰ２の動作（第２制御）を説明し、その後、第１制御部５２の動作（第１制御）を説明する。第２制御部ＳＰ２は、図１０に示す第２制御を繰り返し実行し、第１制御部５２は、図１１に示す第１制御を繰り返し実行する。
【００５５】
図１０に示すように、第２制御部ＳＰ２は、サーバＳＶから色データがダウンロードされたか否かを判断する（Ｓ１）。ステップＳ１においてダウンロードされたと判断した場合には（Ｙｅｓ）、第２制御部ＳＰ２は、ダウンロードされた色データに対応した最大使用回数Ｎｍａｘを第２記憶部ＳＰ４に記憶させる（Ｓ２）。
【００５６】
詳しくは、第２制御部ＳＰ２は、ステップＳ２において、ダウンロードされた色データが過去に一度もダウンロードされていない色データである場合には、当該色データのカラーナンバに対応づけて最大使用回数Ｎｍａｘを第２記憶部ＳＰ４に記憶させる。また、第２制御部ＳＰ２は、ステップＳ２において、ダウンロードされた色データが過去にダウンロードされている色データである場合には、第２記憶部ＳＰ４に既に記憶されている最大使用回数Ｎｍａｘに、受信した最大使用回数Ｎｍａｘを加えることで、最大使用回数Ｎｍａｘを更新する。
【００５７】
ステップＳ２の後、または、ステップＳ１でＮｏと判断した場合には、第２制御部ＳＰ２は、第１制御部５２と通信中であるか否か、つまり通信可能な状態であるか否かを判断する（Ｓ３）。ステップＳ３において通信中でないと判断した場合には（Ｎｏ）、第２制御部ＳＰ２は、本制御を終了する。
【００５８】
ステップＳ３において通信中であると判断した場合には（Ｙｅｓ）、第２制御部ＳＰ２は、第１制御部５２から各色データの出力回数Ｎを取得し、各出力回数Ｎを各色データのカラーナンバに対応づけて第２記憶部ＳＰ４に記憶させる（Ｓ４）。ステップＳ４の後、第２制御部ＳＰ２は、各色データの出力回数Ｎと各色データの最大使用回数Ｎｍａｘとに基づいて、各色データの使用可能回数Ｎｐを算出して第２記憶部ＳＰ４に記憶させる（Ｓ５）。
【００５９】
ステップＳ５の後、第２制御部ＳＰ２は、各色データの使用可能回数Ｎｐを表示部ＳＰ３に出力する（Ｓ６）。ステップＳ６の後、第２制御部ＳＰ２は、各色データの最大使用回数Ｎｍａｘをカラーナンバとともに第１制御部５２に送信して（Ｓ７）、本制御を終了する。
【００６０】
図１１に示すように、第１制御部５２は、第２制御部ＳＰ２と通信中であるか否かを判断する（Ｓ１１）。ステップＳ１１において通信中であると判断した場合には（Ｙｅｓ）、第１制御部５２は、第２制御部ＳＰ２から最大使用回数Ｎｍａｘおよびカラーナンバを受信したか否かを判断する（Ｓ１２）。
【００６１】
ステップＳ１２において受信したと判断した場合には（Ｙｅｓ）、第１制御部５２は、受信した最大使用回数Ｎｍａｘをカラーナンバとともに第１記憶部５３に記憶させる（Ｓ１３）。詳しくは、第１制御部５２は、ステップＳ１３において、受信したカラーナンバに対応する最大使用回数Ｎｍａｘが第１記憶部５３に既に記憶されているか否かを判断し、記憶されていない場合には、受信した最大使用回数Ｎｍａｘをカラーナンバに対応づけて第１記憶部５３に記憶させる。また、ステップＳ１３において、受信したカラーナンバに対応する最大使用回数Ｎｍａｘが第１記憶部５３に既に記憶されている場合には、第１制御部５２は、第１記憶部５３に既に記憶されている最大使用回数Ｎｍａｘに、受信した最大使用回数Ｎｍａｘを加えることで、最大使用回数Ｎｍａｘを更新する。
【００６２】
ステップＳ１３の後、第１制御部５２は、第１記憶部５３に記憶されている各色データの出力回数Ｎを第２制御部ＳＰ２に送信する（Ｓ１４）。ステップＳ１４の後、ステップＳ１１でＮｏと判断した場合、または、ステップＳ１２でＮｏと判断した場合には、第１制御部５２は、色データが付爪ＦＮに出力されたか否かを判断する（Ｓ１５）。
【００６３】
ステップＳ１５において色データが出力されたと判断した場合には（Ｙｅｓ）、第１制御部５２は、出力された色データの出力回数Ｎをカウントアップして、第１記憶部５３に記憶させる（Ｓ１６）。ステップＳ１６の後、第１制御部５２は、出力回数Ｎが最大使用回数Ｎｍａｘを超えたか否かを判断する（Ｓ１７）。
【００６４】
ステップＳ１７においてＮ＞Ｎｍａｘであると判断した場合には（Ｙｅｓ）、第１制御部５２は、付爪用出力装置Ｍから付爪ＦＮへの色データの出力を禁止するための出力禁止フラグＦを「１」にする（Ｓ１８）。ステップＳ１７においてＮ≦Ｎｍａｘであると判断した場合には（Ｎｏ）、第１制御部５２は、出力禁止フラグＦを「０」にする（Ｓ１９）。
【００６５】
ステップＳ１８，Ｓ１９の後、または、ステップＳ１５でＮｏと判断した場合には、第１制御部５２は、付爪用出力装置Ｍの出力端子２２ａが付爪ＦＮに設けられた電子ペーパＥＰの入力端子に接触したか否かを判断する（Ｓ２０）。ステップＳ２０において接触していないと判断した場合には（Ｎｏ）、第１制御部５２は、本制御を終了する。
【００６６】
ステップＳ２０において接触したと判断した場合には（Ｙｅｓ）、第１制御部５２は、出力禁止フラグＦが０であるか否かを判断する（Ｓ２１）。ステップＳ２１においてＦ＝０であると判断した場合には（Ｙｅｓ）、第１制御部５２は、付爪用出力装置Ｍから付爪ＦＮへ色データを出力して（Ｓ２２）、本制御を終了する。また、ステップＳ２１においてＦ＝０でないと判断した場合には（Ｎｏ）、第１制御部５２は、色データを出力することなく、本制御を終了する。
【００６７】
次に、付爪用システムＳの使用方法について説明する。
図１に示すように、付爪用システムＳを利用するにあたって、ユーザは、まず、スマートフォンＳＰからインターネット等を介してサーバＳＶにアクセスして、サーバＳＶから様々な色データをスマートフォンＳＰにダウンロードする。なお、ダウンロードされた最初の状態において、スマートフォンＳＰの表示部ＳＰ３に表示されるマニキュア液は、容器を満杯に満たした状態で表示され、マニキュア液の残量を示す数字は、１００％となっている。
【００６８】
このように様々な色データをスマートフォンＳＰにダウンロードすると、図１２（ｂ）に示すように、第２記憶部ＳＰ４には、各色データのカラーナンバに対応づけられて最大使用回数Ｎｍａｘが記憶される。なお、この段階では、まだ付爪用出力装置Ｍが未使用の状態であるため、図１２（ｂ）のＮ，Ｎｐの欄の数字とは異なり、各カラーナンバに対応する出力回数Ｎはすべて０となり、使用可能回数Ｎｐ（Ｎｍａｘ−Ｎ）はすべて１００となっている。
【００６９】
その後、ユーザは、近距離無線通信によってスマートフォンＳＰから付爪用出力装置Ｍに各色データや各色データに対応する最大使用回数Ｎｍａｘの情報を送信する。これにより、図１２（ａ）に示すように、付爪用出力装置Ｍの第１記憶部５３には、各色データのカラーナンバに対応づけられて最大使用回数Ｎｍａｘが記憶される。なお、この段階では、まだ付爪用出力装置Ｍが未使用の状態であるため、図１２（ａ）のＮの欄の数字とは異なり、各カラーナンバに対応する出力回数Ｎはすべて０となっている。
【００７０】
図２に示すように、付爪用出力装置Ｍを使用する場合には、ユーザは、また、筐体３から蓋４を外す。その後、ユーザは、例えば筒状部材１に対して筐体３を回転させることで、図３に示すように、進退部材２を筒状部材１から上方に突出させる。上方に移動する進退部材２が最上方の突出位置に到達すると、制御装置５がＯＮとなって作動することで、出力装置側電子ペーパＰ１に色データが表示される。
【００７１】
なお、付爪用出力装置Ｍは、制御装置５がＯＦＦの状態である場合においても、スマートフォンＳＰとの通信を行うことができるように構成するのが望ましい。ここで、制御装置５がＯＮの状態のときに限って通信可能とする場合には、スマートフォンＳＰから付爪用出力装置Ｍに情報を取り込む際に、いちいち筒状部材１等を回転操作して制御装置５をＯＮにしなければならないが、制御装置５がＯＦＦの状態である場合にも通信可能とすると、このような煩わしい操作が不要となる。
【００７２】
その後、ユーザが筐体３をさらに回転させていくと、出力装置側電子ペーパＰ１に表示される色データが順次切り替わっていく。この際、ユーザは、色データが切り替わるたびにクリック感を感じることができるので、色の切り替わりを、視覚と触感で容易に認識することができる。
【００７３】
色の選択の終了後、ユーザは、図１に示すように、付爪用出力装置Ｍの出力端子２２ａを、付爪ＦＮの入力端子に接触させる。これにより、出力装置側電子ペーパＰ１で表示されている色データと同じ色データが、付爪ＦＮの電子ペーパＥＰに出力されて表示される。
【００７４】
このように付爪用出力装置Ｍから付爪ＦＮに色データを出力すると、第１記憶部５３に記憶された、対応する色データの出力回数Ｎが増えていく。具体的には、例えばカラーナンバ「１２４」の色データを、両手の各指（つまり、１０本の指）の付爪ＦＮに対して順次出力すると、カラーナンバ「１２４」に対応する出力回数Ｎが、出力のたびに順次増えていき、最終的には、図１２（ａ）に示すように１０となる。そして、カラーナンバ「１２４」の出力回数Ｎが最大使用回数Ｎｍａｘを超えた場合には、カラーナンバ「１２４」の色データの付爪ＦＮへの出力が禁止される。
【００７５】
付爪用出力装置Ｍの使用の際、付爪用出力装置ＭとスマートフォンＳＰとの通信が可能な状態である場合には、第１記憶部５３での出力回数Ｎの更新に連動するように、第２記憶部ＳＰ４の出力回数Ｎや使用可能回数Ｎｐが変更される。具体的には、例えば上述したように第１記憶部５３においてカラーナンバ「１２４」の色データの出力回数Ｎが１０に更新された場合には、カラーナンバ「１２４」に対応した出力回数ＮがスマートフォンＳＰに送信され、図１２（ｂ）に示すように、第２記憶部ＳＰ４において、カラーナンバ「１２４」に対応した出力回数Ｎが１０に更新される。
【００７６】
その後、第２制御部ＳＰ２が、カラーナンバに対応した最大使用回数Ｎｍａｘ（１００）から出力回数Ｎ（１０）を引くことで使用可能回数Ｎｐ（９０）を算出し、使用可能回数Ｎｐを９０に更新する。これにより、表示部ＳＰ３上の画像であるカラーナンバ「１２４」に対応したマニキュア液が１００％のときよりも少し減った量で表示されるとともに、数字が９０％に変更される（図１参照）。
【００７７】
また、付爪用出力装置Ｍの使用の際、付爪用出力装置ＭとスマートフォンＳＰとの通信が不可能な状態である場合には、付爪ＦＮへの色データの出力に応じて、第１記憶部５３の出力回数Ｎだけが更新され、第２記憶部ＳＰ４の出力回数Ｎや使用可能回数Ｎｐは更新されない。しかし、その後に、通信可能な状態となったときに、第１記憶部５３で更新された出力回数Ｎが、付爪用出力装置ＭからスマートフォンＳＰに送信されて、第２記憶部ＳＰ４の出力回数Ｎや使用可能回数Ｎｐが上述したように更新される。
【００７８】
図１２（ｂ）に示すように、カラーナンバ「００１」の使用頻度が高く、残りの使用可能回数Ｎｐが３０と少なくなった場合には、ユーザは、カラーナンバ「００１」の色データ等を、サーバＳＶからスマートフォンＳＰに再度ダウンロードする。これにより、図１３（ｂ）に示すように、第２記憶部ＳＰ４において、カラーナンバ「００１」に対応した最大使用回数Ｎｍａｘが、１００から２００に更新される。
【００７９】
その後、第２制御部ＳＰ２が、最大使用回数Ｎｍａｘ（２００）から出力回数Ｎ（７０）を引くことで、使用可能回数Ｎｐが１３０に更新される。これにより、表示部ＳＰ３上の画像であるカラーナンバ「００１」に対応したマニキュア液が容器に満杯な状態で表示されるとともに、数字が１３０％に変更される。
【００８０】
第２制御部ＳＰ２は、最大使用回数Ｎｍａｘを２００に更新すると、更新した最大使用回数Ｎｍａｘをカラーナンバ「００１」に対応づけて付爪用出力装置Ｍに送信する。付爪用出力装置Ｍでは、更新された最大使用回数Ｎｍａｘを受信すると、図１３（ａ）に示すように、第１記憶部５３において、カラーナンバ「００１」に対応した最大使用回数Ｎｍａｘが、１００から２００に更新される。
【００８１】
以上、本実施形態によれば、以下のような効果を得ることができる。
色データの出力回数Ｎが最大使用回数Ｎｍａｘを超えると、色データの出力が禁止されるので、色データがユーザによって無制限に使用されるのを禁止することができる。
【００８２】
色データの残りの使用回数である使用可能回数ＮｐがスマートフォンＳＰの表示部ＳＰ３に表示されるので、残りの使用回数をユーザに知らせることができる。また、付爪用出力装置Ｍに、残りの使用回数を表示するための表示部（出力装置側電子ペーパＰ１とは別の表示部）を設ける必要がないので、付爪用出力装置Ｍにかかるコストを抑えることができる。
【００８３】
スマートフォンＳＰとの非通信時に付爪用出力装置Ｍを使用した場合でも、通信時に第２記憶部ＳＰ４の出力回数Ｎと第１記憶部５３の出力回数Ｎとが同期するので、実際の出力回数Ｎに応じた使用可能回数Ｎｐを表示部ＳＰ３に表示させることができる。
【００８４】
なお、本発明は前記実施形態に限定されることなく、以下に例示するように様々な形態で利用できる。
前記実施形態では、出力の禁止・許可を決定するために、出力回数Ｎが最大使用回数Ｎｍａｘを超えたか否かを判定したが、本発明はこれに限定されるものではない。例えば、出力回数Ｎが最大使用回数Ｎｍａｘを超えたか否かの判定を、使用可能回数Ｎｐが所定値以下になったか否かを判定することで行ってもよい。具体的には、例えば、第１制御部５２において、最大使用回数Ｎｍａｘから出力回数Ｎを引くことで使用可能回数Ｎｐを算出し、使用可能回数Ｎｐが０以下になったか否かを判定することで、出力の禁止・許可を決定してもよい。
【００８５】
前記実施形態では、使用可能回数Ｎｐの表示をスマートフォンＳＰの表示部ＳＰ３のみで行ったが、本発明はこれに限定されず、付爪用出力装置Ｍの出力装置側電子ペーパＰ１に使用可能回数Ｎｐを表示してもよい。具体的には、例えば、出力装置側電子ペーパＰ１に表示する色の画面に対する割合を、使用可能回数Ｎｐが最大のときに１００％とし、使用可能回数Ｎｐが少なくなるに応じて、徐々に減らしていってもよい。また、例えば、使用可能回数Ｎｐが所定値以下となった場合に、出力装置側電子ペーパＰ１に表示する色を点滅させたり、音声や警告音を発したりして、使用可能回数Ｎｐが少なくなったことをユーザに知らせてもよい。また、出力装置側電子ペーパＰ１とは別の表示部を、付爪用出力装置Ｍに設け、その表示部に使用可能回数Ｎｐを表示してもよい。
【００８６】
前記実施形態では、端末としてスマートフォンＳＰを例示したが、本発明はこれに限定されず、例えばタブレット端末などであってもよい。
【００８７】
前記実施形態では、第２部材（進退部材２）が、第１部材（筒状部材１）に対して螺合され、第３部材（筐体３）に対して回転方向への移動が規制されるとともに軸線方向に移動可能となるように、付爪用出力装置Ｍを構成したが、本発明はこれに限定されるものではない。例えば、第２部材が、第３部材に対して螺合され、第１部材に対して回転方向への移動が規制されるとともに軸線方向に移動可能となるように、付爪用出力装置を構成してもよい。
【００８８】
前記実施形態では、蓋４を設けたが、本発明はこれに限定されず、蓋を設けなくてもよい。
【００８９】
前記実施形態では、付爪用出力装置Ｍから付爪ＦＮにデータを出力する出力部として、入力端子に接触する出力端子２２ａを例示したが、本発明はこれに限定されず、例えば、付爪の電子ペーパに対して非接触で色データを送信する送信部であってもよい。
【００９０】
前記実施形態では、出力データとして色データを例示したが、本発明はこれに限定されず、例えば模様や文字などの画像データであってもよい。
【００９１】
また、付爪用出力装置の機械的構成は限られず、例えば、筒状の第１部材に対して第２部材が直線的に移動可能に構成され、第２部材がスライド操作で進退するように構成されていてもよい。また、付爪用出力装置は、例えば、複数の付爪に対して出力データを出力するように構成されていてもよい。
【符号の説明】
【００９２】
ＥＰ    電子ペーパ
Ｍ      付爪用出力装置
ＦＮ      付爪
Ｓ      付爪用システム
５２    第１制御部
５３    第１記憶部
【図１】
0006668108.tif 000002
【図２】
0006668108.tif 000003
【図３】
0006668108.tif 000004
【図４】
0006668108.tif 000005
【図５】
0006668108.tif 000006
【図６】
0006668108.tif 000007
【図７】
0006668108.tif 000008
【図８】
0006668108.tif 000009
【図９】
0006668108.tif 000010
【図１０】
0006668108.tif 000011
【図１１】
0006668108.tif 000012
【図１２】
0006668108.tif 000013
【図１３】
0006668108.tif 000014